【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
入力された映像信号の輝度分布の統計量を検出する統計量検出手段と、
前記入力された映像信号における前フレームの明るさと現フレームの明るさを比較して、前記明るさの変化の方向を示す情報を遷移方向を示す情報として出力するシーン遷移検出手段と、
前記輝度分布の統計量に基づき映像信号の階調特性を変換する変換特性を決定する決定手段と、
前記遷移方向を示す情報が、明から暗への遷移を示す場合は前記階調特性の低輝度側により多くの階調を割り振るように前記変換特性を補正し、暗から明への遷移を示す場合は前記階調特性の高輝度側により多くの階調を割り振るように前記変換特性を補正する補正手段と、
前記補正手段が出力する変換特性によって前記現フレームの映像信号の階調特性を変換する変換手段とを有することを特徴とする画像処理装置。
【請求項２】
さらに、前記入力された映像信号におけるシーンチェンジを検出するシーンチェンジ検出手段と、
前記補正手段が出力する変換特性を予め定められた期間の範囲で平均化して前記変換手段に供給し、前記シーンチェンジの検出に応じて前記平均化をリセットする平均化手段とを有することを特徴とする請求項1に記載された画像処理装置。
【請求項３】
入力された映像信号の輝度分布の統計量を検出する統計量検出手段と、
前記入力された映像信号における前フレームの明るさと現フレームの明るさを比較して、前記明るさの変化の方向を示す情報を遷移方向を示す情報として出力するシーン遷移検出手段と、
前記輝度分布の統計量に基づき映像信号の階調特性を変換する変換特性を決定する決定手段と、
前記遷移方向を示す情報が、明から暗への遷移を示す場合は前記変換特性に所定のオフセットを加算する方向に前記変換特性をシフトする補正を行い、暗から明への遷移を示す場合は前記変換特性から前記オフセットを減算する方向に前記変換特性をシフトする補正を行う補正手段と、
前記補正手段が出力する変換特性によって前記現フレームの映像信号の階調特性を変換する変換手段とを有することを特徴とする画像処理装置。
【請求項４】
さらに、前記入力された映像信号におけるシーンチェンジを検出するシーンチェンジ検出手段と、
前記決定手段が決定した変換特性を予め定められた期間の範囲で平均化して前記補正手段に供給し、前記シーンチェンジの検出に応じて前記平均化をリセットする平均化手段とを有することを特徴とする請求項3に記載された画像処理装置。
【請求項５】
入力された映像信号の輝度分布の統計量を検出する統計量検出手段と、
前記入力された映像信号における前フレームの明るさと現フレームの明るさを比較して、前記明るさの変化の方向を示す情報を遷移方向を示す情報として出力するシーン遷移検出手段と、
前記輝度分布の統計量に基づき映像信号の階調特性を変換する変換特性を決定する決定手段と、
前記変換特性によって前記現フレームの映像信号の階調特性を変換する変換手段と、
前記遷移方向を示す情報が、明から暗への遷移を示す場合は前記変換手段が出力する映像信号に所定のオフセットを加算する補正を行い、暗から明への遷移を示す場合は前記変換手段が出力する映像信号から前記オフセットを減算する補正を行う信号補正手段とを有することを特徴とする画像処理装置。
【請求項６】
さらに、前記入力された映像信号におけるシーンチェンジを検出するシーンチェンジ検出手段と、
前記決定手段が決定した変換特性を予め定められた期間の範囲で平均化して前記変換手段に供給し、前記シーンチェンジの検出に応じて前記平均化をリセットする平均化手段とを有することを特徴とする請求項5に記載された画像処理装置。
【請求項７】
さらに、前記入力された映像信号におけるシーンチェンジおよびシーンの長さを検出して、検出結果をシーン情報として出力するシーン情報検出手段を有し、
前記補正手段は、前記シーン情報がシーンチェンジの未検出を示す場合、前記シーン情報がシーンチェンジの検出を示すが所定値未満のシーンの長さを示す場合、前記シーン情報がシーンチェンジの検出を示し前記所定値以上のシーンの長さを示すが前記遷移方向を示す情報が前記明るさの遷移がないことを示す場合は、前記変換特性を前記前フレームと同様に補正することを特徴とする請求項1に記載された画像処理装置。
【請求項８】
入力された映像信号の輝度分布の統計量を検出する統計量検出ステップと、
前記入力された映像信号における前フレームの明るさと現フレームの明るさを比較して、前記明るさの変化の方向を示す情報を遷移方向を示す情報として出力するシーン遷移検出ステップと、
前記輝度分布の統計量に基づき映像信号の階調特性を変換する変換特性を決定する決定ステップと、
前記遷移方向を示す情報が、明から暗への遷移を示す場合は前記階調特性の低輝度側により多くの階調を割り振るように前記変換特性を補正し、暗から明への遷移を示す場合は前記階調特性の高輝度側により多くの階調を割り振るように前記変換特性を補正する補正ステップと、
前記補正ステップが出力する変換特性によって前記現フレームの映像信号の階調特性を変換する変換ステップとを有することを特徴とする画像処理方法。
【請求項９】
入力された映像信号の輝度分布の統計量を検出する統計量検出ステップと、
前記入力された映像信号における前フレームの明るさと現フレームの明るさを比較して、前記明るさの変化の方向を示す情報を遷移方向を示す情報として出力するシーン遷移検出ステップと、
前記輝度分布の統計量に基づき映像信号の階調特性を変換する変換特性を決定する決定ステップと、
前記遷移方向を示す情報が、明から暗への遷移を示す場合は前記変換特性に所定のオフセットを加算する方向に前記変換特性をシフトする補正を行い、暗から明への遷移を示す場合は前記変換特性から前記オフセットを減算する方向に前記変換特性をシフトする補正を行う補正ステップと、
前記補正ステップが出力する変換特性によって前記現フレームの映像信号の階調特性を変換する変換ステップとを有することを特徴とする画像処理方法。
【請求項１０】
入力された映像信号の輝度分布の統計量を検出する統計量検出ステップと、
前記入力された映像信号における前フレームの明るさと現フレームの明るさを比較して、前記明るさの変化の方向を示す情報を遷移方向を示す情報として出力するシーン遷移検出ステップと、
前記輝度分布の統計量に基づき映像信号の階調特性を変換する変換特性を決定する決定ステップと、
前記変換特性によって前記現フレームの映像信号の階調特性を変換する変換ステップと、
前記遷移方向を示す情報が、明から暗への遷移を示す場合は前記変換ステップが出力する映像信号に所定のオフセットを加算する補正を行い、暗から明への遷移を示す場合は前記変換ステップが出力する映像信号から前記オフセットを減算する補正を行う信号補正ステップとを有することを特徴とする画像処理方法。
【手続補正２】
【補正対象書類名】明細書
【補正対象項目名】０００９
【補正方法】変更
【補正の内容】
【０００９】
本発明にかかる画像処理装置は、入力された映像信号の輝度分布の統計量を検出する統計量検出手段と、前記入力された映像信号における前フレームの明るさと現フレームの明るさを比較して、前記明るさの変化の方向を示す情報を遷移方向を示す情報として出力するシーン遷移検出手段と、前記輝度分布の統計量に基づき映像信号の階調特性を変換する変換特性を決定する決定手段と、前記遷移方向を示す情報が、明から暗への遷移を示す場合は前記階調特性の低輝度側により多くの階調を割り振るように前記変換特性を補正し、暗から明への遷移を示す場合は前記階調特性の高輝度側により多くの階調を割り振るように前記変換特性を補正する補正手段と、前記補正手段が出力する変換特性によって前記現フレームの映像信号の階調特性を変換する変換手段とを有することを特徴とする。
【手続補正３】
【補正対象書類名】明細書
【補正対象項目名】００１０
【補正方法】変更
【補正の内容】
【００１０】
本発明にかかる画像処理方法は、入力された映像信号の輝度分布の統計量を検出する統計量検出ステップと、前記入力された映像信号における前フレームの明るさと現フレームの明るさを比較して、前記明るさの変化の方向を示す情報を遷移方向を示す情報として出力するシーン遷移検出ステップと、前記輝度分布の統計量に基づき映像信号の階調特性を変換する変換特性を決定する決定ステップと、前記遷移方向を示す情報が、明から暗への遷移を示す場合は前記階調特性の低輝度側により多くの階調を割り振るように前記変換特性を補正し、暗から明への遷移を示す場合は前記階調特性の高輝度側により多くの階調を割り振るように前記変換特性を補正する補正ステップと、前記補正ステップが出力する変換特性によって前記現フレームの映像信号の階調特性を変換する変換ステップとを有することを特徴とする。